(57)【要約】【課題】熱交換器における風速分布を均一化して良好な風周りを実現する。【解決手段】この室内機１ａは、上部吸込口２２ａ及び吹出口２２ｃを有する筐体２２と、筐体２２内に配置され、上部吸込口２２ａから吹出口２２ｃに至る風流路に配置された室内ファン２１と、上部吸込口２２ａから室内ファン２１に至る風流路に配置され、互いに間隔を隔てて配置される複数のフィン５１ａを有する前面側熱交換器５０ａとを備えている。側面視において、複数のフィン５１ａの風下側端部５３は、その中間部Ｃで室内ファン２１と最も近接しており、複数のフィン５１ａの風下側端部５３の中間部Ｃより上側部分Ａ１は、略円弧状に湾曲している。【選択図】図３
2010216673.tif 000002
【特許請求の範囲】
【請求項１】
吸込口及び吹出口を有する筐体と、
前記筐体内に配置され、前記吸込口から前記吹出口に至る風流路に配置された送風機と、
前記吸込口から前記送風機に至る風流路に配置され、互いに間隔を隔てて配置される複数のフィンを有する熱交換器とを備え、
側面視において、前記複数のフィンの風下側端部の中間部から最下部の範囲内における所定位置より上側部分は、略円弧状に湾曲していることを特徴とする、空気調和機。
【請求項２】
側面視において、前記複数のフィンの風下側端部の前記所定位置より下側部分は、略円弧状に湾曲しており、
前記所定位置より上側部分の曲率半径は、前記所定位置より下側部分の曲率半径より小さいことを特徴とする、請求項１に記載の空気調和機。
【請求項３】
側面視において、前記複数のフィンの風下側端部の前記所定位置より下側部分は、略直線状に形成されていることを特徴とする、請求項１に記載の空気調和機。
【請求項４】
側面視において、前記複数のフィンの風下側端部の前記所定位置より上側部分は、互いに異なる曲率半径を有する複数の円弧部が接続されて形成されていることを特徴とする、請求項１〜３のいずれか１項に記載の空気調和機。
【請求項５】
前記複数の円弧部の曲率半径は、前記所定位置から離れるにつれて小さくなっていることを特徴とする、請求項４に記載の空気調和機。
【請求項６】
前記所定位置は、前記複数のフィンの風下側端部と前記送風機とが最も近接する位置であることを特徴とする、請求項１〜５のいずれか１項に記載の空気調和機。
【請求項７】
前記吸込口は、前記筐体の天面に設けられる上部吸込口と、当該上部吸込口の前面側に設けられる上部前面吸込口とを含み、
前記上部吸込口からの吸込量が前記上部前面吸込口からの吸込量より多いことを特徴とする、請求項１〜６のいずれか１項に記載の空気調和機。
【請求項８】
前記複数のフィンには、一定幅の等幅部が設けられていることを特徴とする、請求項１〜７のいずれか１項に記載の空気調和機。
【発明の詳細な説明】
【技術分野】
【０００１】
本発明は、筐体内に配置された熱交換器を備えた空気調和機に関する。
【背景技術】
【０００２】
近年、熱交換器による熱交換能力の向上を図るために、熱交換器の形状を工夫した種々の空気調和機が提案されている（例えば、特許文献１参照）。上記特許文献１には、側面視において、上部が直線状に延在し且つ下部が円弧状に湾曲する熱交換器が開示されている。
【先行技術文献】
【特許文献】
【０００３】
【特許文献１】特開平７−６３３６２号公報
【発明の概要】
【発明が解決しようとする課題】
【０００４】
しかしながら、近年の製品のコンパクト化の要求により室内機の製品サイズに制限がある場合に、特許文献１に開示される熱交換器を室内機に搭載すれば、図１１に示すように、直線状の上部５２０ａが送風機５２１に非常に接近してしまう。このため、筐体５２２の天面に設けられる吸込口５２２ａから室内空気を吸い込む場合、熱交換器５２０の上部５２０ａ（図中のＥ周辺）を通過する風速が上がり当該上部５２０ａを通過する風量が増加するが、熱交換器５２０の下部５２０ｂ（図中のＦ周辺）に風が回り難くなって、熱交換器５２０の各部で偏った風速分布になる。
【０００５】
そこで、この発明は、上記のような課題を解決するためになされたものであり、熱交換器における風速分布を均一化して良好な風周りを実現することが可能な空気調和機を提供することを目的とする。
【課題を解決するための手段】
【０００６】
第１の発明にかかる空気調和機は、吸込口及び吹出口を有する筐体と、筐体内に配置され、吸込口から吹出口に至る風流路に配置された送風機と、吸込口から送風機に至る風流路に配置され、互いに間隔を隔てて配置される複数のフィンを有する熱交換器とを備え、側面視において、複数のフィンの風下側端部の中間部から最下部の範囲内における所定位置より上側部分は、略円弧状に湾曲している。
【０００７】
この空気調和機では、複数のフィンの風下側端部の所定位置より上側部分を、略円弧状に湾曲させることにより、当該上側部分における風速が当該所定位置から上側に離れる位置で下がる。これにより、熱交換器の上方から室内空気を吸い込む場合でも、中間部から最下部の範囲に風が回るようになる。その結果、熱交換器における風速分布を均一化して良好な風周りを実現することができる。
また、空気調和機の製品サイズが制限されるときでも、複数のフィンの風下側端部の所定位置より上側部分を円弧状に湾曲させれば、当該上側部分と送風機とが接近し過ぎないように熱交換器を配置することができる。その結果、製品のコンパクト化を図りつつ、中間部から最下部の範囲に風が回るようにすることが可能となり、熱交換器における風速分布を均一化して良好な風周りを実現することができる。
【０００８】
第２の発明にかかる空気調和機は、第１の発明にかかる空気調和機において、側面視において、複数のフィンの風下側端部の所定位置より下側部分は、略円弧状に湾曲しており、所定位置より上側部分の曲率半径は、所定位置より下側部分の曲率半径より小さい。
【０００９】
この空気調和機では、所定位置より上側部分の曲率半径を、所定位置より下側部分の曲率半径より小さくすることによって、製品のコンパクト化を図りつつ、当該上側部分と送風機とが接近し過ぎないように配置することができる。
【００１０】
第３の発明にかかる空気調和機は、第１の発明にかかる空気調和機において、側面視において、複数のフィンの風下側端部の所定位置より下側部分は、略直線状に形成されている。
【００１１】
この空気調和機では、複数のフィンの風下側端部の所定位置より下側部分を略直線状に形成することによって、当該下側部分と送風機との距離を接近させることができる。これにより、当該下側部分における風速が上がるので、熱交換器の上方から室内空気を吸い込む場合でも、その下側部分に風が回り易くなる。
【００１２】
第４の発明にかかる空気調和機は、第３の発明にかかる空気調和機において、側面視において、複数のフィンの風下側端部の所定位置より上側部分は、互いに異なる曲率半径を有する複数の円弧部が接続されて形成されている。
【００１３】
この空気調和機では、吸込口における室内空気の吸込量や製品サイズなど種々の条件に応じて、複数の円弧部の曲率半径を組み合わせることによって、熱交換器における風速分布を均一化して良好な風周りを実現することができる。
【００１４】
第５の発明にかかる空気調和機は、第４の発明にかかる空気調和機において、複数の円弧部の曲率半径は、所定位置から離れるにつれて小さくなっている。
【００１５】
この空気調和機では、製品のコンパクト化を図りつつ、当該上側部分と送風機とが接近し過ぎないように配置することができる。
【００１６】
第６の発明にかかる空気調和機は、第１〜第５のいずれかの発明にかかる空気調和機において、所定位置は、複数のフィンの風下側端部と送風機とが最も近接する位置である。
【００１７】
この空気調和機では、複数のフィンの風下側端部を所定位置で送風機に最も近接させることによって、当該所定位置における風速が上がる。また、複数のフィンの風下側端部の所定位置より上側部分を、略円弧状に湾曲させることにより、当該上側部分における風速が当該所定位置から上側に離れる位置で下がる。これにより、熱交換器の上方から室内空気を吸い込む場合でも、中間部から最下部の範囲に風が回るようになる。その結果、熱交換器における風速分布を均一化して良好な風周りを実現することができる。
【００１８】
第７の発明にかかる空気調和機は、第１〜第６のいずれかの発明にかかる空気調和機において、吸込口は、筐体の天面に設けられる上部吸込口と、当該上部吸込口の前面側に設けられる上部前面吸込口とを含み、上部吸込口からの吸込量が上部前面吸込口からの吸込量より多い。
【００１９】
この空気調和機では、上部吸込口からの吸込量が多いことによって、熱交換器の下部において風が回り難くなるが、複数のフィンの風下側端部の所定位置より上側部分を略円弧状に湾曲させることにより、熱交換器における風速分布を均一化して良好な風周りを実現することができる。
【００２０】
第８の発明にかかる空気調和機は、第１〜第７のいずれかの発明にかかる空気調和機において、複数のフィンには、一定幅の等幅部が設けられている。
【００２１】
この空気調和機では、一定幅の等幅部において通風抵抗が同等になり、熱交換器における風速分布をより均一化して、さらに良好な風周りを実現することができる。
【発明の効果】
【００２２】
以上の説明に述べたように、本発明によれば、以下の効果が得られる。
【００２３】
第１の発明では、複数のフィンの風下側端部の所定位置より上側部分を、略円弧状に湾曲させることにより、当該上側部分における風速が当該所定位置から上側に離れる位置で下がる。これにより、熱交換器の上方から室内空気を吸い込む場合でも、中間部から最下部の範囲に風が回るようになる。その結果、熱交換器における風速分布を均一化して良好な風周りを実現することができる。
また、空気調和機の製品サイズが制限されるときでも、複数のフィンの風下側端部の所定位置より上側部分を円弧状に湾曲させれば、当該上側部分と送風機とが接近し過ぎないように熱交換器を配置することができる。その結果、製品のコンパクト化を図りつつ、中間部から最下部の範囲に風が回るようにすることが可能となり、熱交換器における風速分布を均一化して良好な風周りを実現することができる。
【００２４】
また、第２の発明では、所定位置より上側部分の曲率半径を、所定位置より下側部分の曲率半径より小さくすることによって、製品のコンパクト化を図りつつ、当該上側部分と送風機とが接近し過ぎないように配置することができる。
【００２５】
また、第３の発明では、複数のフィンの風下側端部の所定位置より下側部分を略直線状に形成することによって、当該下側部分と送風機との距離を接近させることができる。これにより、当該下側部分における風速が上がるので、熱交換器の上方から室内空気を吸い込む場合でも、その下側部分に風が回り易くなる。
【００２６】
また、第４の発明では、吸込口における室内空気の吸込量や製品サイズなど種々の条件に応じて、複数の円弧部の曲率半径を組み合わせることによって、熱交換器における風速分布を均一化して良好な風周りを実現することができる。
【００２７】
また、第５の発明では、製品のコンパクト化を図りつつ、当該上側部分と送風機とが接近し過ぎないように配置することができる。
【００２８】
また、第６の発明では、複数のフィンの風下側端部を所定位置で送風機に最も近接させることによって、当該所定位置における風速が上がる。また、複数のフィンの風下側端部の所定位置より上側部分を、略円弧状に湾曲させることにより、当該上側部分における風速が当該所定位置から上側に離れる位置で下がる。これにより、熱交換器の上方から室内空気を吸い込む場合でも、中間部から最下部の範囲に風が回るようになる。その結果、熱交換器における風速分布を均一化して良好な風周りを実現することができる。
【００２９】
また、第７の発明では、上部吸込口からの吸込量が多いことによって、熱交換器の下部において風が回り難くなるが、複数のフィンの風下側端部の所定位置より上側部分を略円弧状に湾曲させることにより、熱交換器における風速分布を均一化して良好な風周りを実現することができる。
【００３０】
また、第８の発明では、一定幅の等幅部において通風抵抗が同等になり、熱交換器における風速分布をより均一化して、さらに良好な風周りを実現することができる。
【図面の簡単な説明】
【００３１】
【図１】本発明の第１実施形態に係る空気調和機の斜視図である。
【図２】空気調和機の配管系統図である。
【図３】室内機の内部構造を示した側面図である。
【図４】室内機の内部構造を示した側面図である。
【図５】熱交換器のフィンをプレス送り方向に並べた状態を示した図である。
【図６】本発明の第２実施形態に係る室内機の内部構造を示した側面図である。
【図７】本発明の第３実施形態に係る室内機の内部構造を示した側面図である。
【図８】本発明の第４実施形態に係る室内機の内部構造を示した側面図である。
【図９】本発明の第５実施形態に係る室内機の内部構造を示した側面図である。
【図１０】本発明の第６実施形態に係る室内機の内部構造を示した側面図である。
【図１１】従来の一例に係る室内機の内部構造を示した側面図である。
【発明を実施するための形態】
【００３２】
以下、図面に基づいて、本発明に係る空気調和機の実施形態について説明する。
【００３３】
（第１実施形態）
［空気調和機の全体構成］
第１実施形態の空気調和機１は、図１に示すように、室内の壁面等に設置される室内機１ａと、室外に設置される室外機１ｂと、室内機１ａと室外機１ｂとを接続する接続配管１ｃとを備えており、室内機１ａ及び室外機１ｂ内に収納された機器・弁類と、接続配管１ｃとが接続されて冷媒回路を構成している。図２に示すように、冷媒回路は、主として、室内熱交換器２０、室外熱交換器３０、圧縮機３１および電動膨張弁３２により構成される。これにより、冷房運転時には、圧縮機３１から吐出された高温高圧冷媒が室外熱交換器３０に流入する。そして、室外熱交換器（凝縮器）３０で凝縮した冷媒は、電動膨張弁３２で減圧された後、室内熱交換器２０に流入する。そして、室内熱交換器（蒸発器）２０で蒸発した冷媒が、圧縮機３１の吸入側に戻る。このようにして、室内熱交換器２０の周囲の空気が冷却されて、冷風が室内に供給される。また、暖房運転時には、圧縮機３１から吐出された高温高圧冷媒が室内熱交換器２０に流入する。そして、室内熱交換器（凝縮器）２０で凝縮した冷媒は、電動膨張弁３２で減圧された後、室外熱交換器３０に流入する。そして、室外熱交換器（蒸発器）３０で蒸発した冷媒が、圧縮機３１の吸入側に戻る。このようにして、室内熱交換器２０の周囲の空気が加熱されて、温風が室内に供給される。
【００３４】
［室外機］
室外機１ｂは、圧縮機３１と、圧縮機３１の吐出側に接続された四路切換弁３３と、圧縮機３１の吸入側に接続されたアキュムレータ３４と、四路切換弁３３に接続された室外熱交換器３０と、室外熱交換器３０に接続された電動膨張弁３２と、室外熱交換器３０に付設される室外ファン３５とを備えている。電動膨張弁３２は、液冷媒配管４１に接続されており、この液冷媒配管４１を介して室内熱交換器２０の一端と接続されている。また、四路切換弁３３は、ガス冷媒配管４２に接続されており、このガス冷媒配管４２を介して室内熱交換器２０の他端と接続されている。なお、冷媒配管４１及び４２は、上記した接続配管１ｃに相当する。
【００３５】
［室内機］
室内機１ａは、主として、室内熱交換器２０と、室内熱交換器２０に付設される室内ファン２１と、筐体２２とを備えている。
【００３６】
筐体２２には、図３及び図４に示すように、室内空気を吸い込むための吸込口（上部吸込口２２ａ、上部前面吸込口２２ｂ）と調和された空気を吹き出すための吹出口２２ｃとが設けられ、その内部には、室内熱交換器２０や室内ファン２１が収納されている。上部吸込口２２ａは、筐体２２の天面に設けられる格子状の天面グリル２３に形成される。また、上部前面吸込口２２ｂは、その上部吸込口２２ａの前面側に配置され、下端を支点として上端が開閉可能な前面パネル２４が開放することによって形成される（図４参照）。本実施形態では、上部吸込口２２ａからの吸込量が上部前面吸込口２２ｂからの吸込量より多くなっている。また、吹出口２２ｃは、筐体２２の下面に設けられている。なお、筐体２２の背面側には、断熱材２５が充填されている。
【００３７】
室内ファン２１は、吸込口２２ａ，２２ｂから吹出口２２ｃに至る風流路に配置されている。この室内ファン２１の風上側には、エアフィルタ２６及び室内熱交換器２０が配置されており、室内ファン２１によって筐体２２の内部に吸い込まれた室内空気は、エアフィルタ２６を通過する際に塵埃が捕集されると共に、室内熱交換器３１を通過する際に冷媒と熱交換される。
【００３８】
［室内熱交換器］
室内熱交換器２０は、側面視において、室内ファン２１の前面側に設けられる前面側熱交換器５０ａと、室内ファン２１の背面側に設けられる背面側熱交換器５０ｂとを有しており、各々の上端部同士が接続されて構成されている。そして、前面側熱交換器５０ａ及び背面側熱交換器５０ｂは、上記した上部吸込口２２ａ及び上部前面吸込口２２ｂから吸い込まれた室内空気が室内熱交換器２０を通過するように、室内ファン２１の上方及び前方部分を覆うように配置されている。そして、前面側熱交換器５０ａの下端周辺及び背面側熱交換器５０ｂの下端周辺には、それぞれドレン水を受けるドレンパン２７及び２８が設けられる。
【００３９】
前面側熱交換器５０ａは、室内機１ａの長手方向（図１のＸ方向）に沿って互いに所定の間隔を隔てて配置される複数のフィン５１ａと、複数のフィン５１ａに略垂直方向に貫通する伝熱管５２ａとを有すると共に、背面側熱交換器５０ｂは、室内機１ａの長手方向（図１のＸ方向）に沿って互いに所定の間隔を隔てて配置される複数のフィン５１ｂと、複数のフィン５１ｂに略垂直方向に貫通する伝熱管５２ｂとを有している。
【００４０】
ここで、本実施形態では、側面視において、前面側熱交換器５０ａの複数のフィン５１ａの風下側端部５３は、室内ファン２１を内側にして略円弧状に湾曲しており、その中間部（所定位置）Ｃで室内ファン２１と最も近接している。そして、複数のフィン５１ａの風下側端部５３の中間部Ｃより上側部分Ａ１は、中間部Ｃから離れるにつれて室内ファン２１との間隔Ｌが大きくなるように略円弧状に湾曲している。また、複数のフィン５１ａの風下側端部５３の中間部Ｃより下側部分Ｂ１は、中間部Ｃから離れるにつれて室内ファン２１との間隔Ｌが大きくなるように略円弧状に湾曲している。そして、本実施形態では、上側部分Ａ１の曲率半径Ｒ１は、下側部分Ｂ１の曲率半径Ｒ２より小さくなっている。
【００４１】
また、本実施形態の略円弧状に湾曲するフィン５１ａには、図４に示すように、一定幅となる等幅部５４ａ（図中の斜線部分）が設けられている。この等幅部５４ａは、フィンのプレス成形時に抜き部Ｑ（図５の斜線領域）に対応する部分５５ａに設けられている。つまり、フィン５１ａに抜き部Ｑを形成することによって、当該部分５４ａが一定幅になっている。
【００４２】
［フィンの製造方法］
上記した前面側熱交換部５０ａのフィン５１ａ及び背面側熱交換部５０ｂのフィン５１ｂは、アルミなどの放熱効果の高い材料からなる板金をプレス加工することによって製造される。図５に示すように、前面側熱交換器５０ａのフィン５１ａと背面側熱交換器５０ｂのフィン５１ｂとは、互いの上端となる部分Ｊが繋がった状態の１枚のフィン５１としてプレス加工により取り出される。そして、当該繋がった部分Ｊで切断することにより、前面側熱交換器５０ａのフィン５１ａと背面側熱交換器５０ｂのフィン５１ｂとが分離される。上記したプレス加工のとき、本実施形態では、前面側熱交換器５０ａのフィン５１ａの端部（抜き部Ｑ）を切除している。一般的には、廃材となる部分を極力無くすようにフィンを製造するが、本実施形態では、廃材となる部分が生じたとしても、フィン５１ａの端部を切除することによって、前面側熱交換器５０ａの複数のフィン５１ａに一定幅となる等幅部５４ａを形成している。
【００４３】
［本実施形態の空気調和機の特徴］
本実施形態の空気調和機１（室内機１ａ）には、以下のような特徴がある。
【００４４】
本実施形態の室内機１ａでは、複数のフィン５１ａの風下側端部５３を、その中間部Ｃで室内ファン２１に最も近接させることにより、中間部Ｃにおける風速が上がる。一方、複数のフィン５１ａの風下側端部５３の中間部Ｃより上側部分Ａ１を、略円弧状に湾曲させることにより、当該上側部分Ａ１における風速が中間部Ｃから離れる位置で下がる。これにより、前面側熱交換器５０ａの上方に形成される上部吸込口２２ａや上部前面吸込口２２ｂから吸い込んだ室内空気は、中間部Ｃの周辺に回るようになる。その結果、前面側熱交換器５０ａにおける風速分布を均一化して良好な風周りを実現することができる。
【００４５】
本実施形態の室内機１ａでは、製品サイズが制限されるときでも、複数のフィン５１ａの風下側端部５３の中間部Ｃより上側部分Ａ１を円弧状に湾曲させれば、上側部分Ａ１と室内ファン２１とが接近し過ぎないように前面側熱交換器５０ａを配置することができる。その結果、製品のコンパクト化を図りつつ、中間部Ｃの周辺に風が回るようにすることが可能となり、前面側熱交換器５０ａにおける風速分布を均一化して良好な風周りを実現することができる。
【００４６】
本実施形態の室内機１ａでは、上側部分Ａ１の曲率半径Ｒ１を、下側部分Ｂ１の曲率半径Ｒ２より小さくすることによって、製品のコンパクト化を図りつつ、上側部分Ａ１と室内ファン２１とが接近し過ぎないように配置することができる。
【００４７】
本実施形態の室内機１ａでは、上部吸込口２２ａからの吸込量が上部前面吸込口２２ｂからの吸込量より多いことによって、前面側熱交換器５０ａの下部において風が回り難くなるが、複数のフィン５１ａの風下側端部５３をその中間部Ｃで室内ファン２１に近接させ、且つ、上側部分Ａ１を略円弧状に湾曲させることにより、前面側熱交換器５０ａにおける風速分布を均一化して良好な風周りを実現することができる。
【００４８】
本実施形態の室内機１ａでは、フィン５１ａに一定幅となる等幅部５４ａを設けることによって、当該等幅部５４ａにおいて通風抵抗が同等になり、前面側熱交換部５０ａにおける風速分布をより均一化して、さらに良好な風周りを実現することができる。
【００４９】
（第２実施形態）
上記した第１実施形態では、中間部Ｃより上側部分Ａ１及び中間部Ｃより下側部分Ｂ１を共に略円弧状に形成したが、この第２実施形態の室内機１０１ａでは、中間部Ｃより上側部分Ａ２を略円弧状にし、且つ、中間部Ｃより下側部分Ｂ２を略直線状に形成している。以下、図６を参照して、第２実施形態に係る室内熱交換器を詳細に説明する。なお、第１実施形態の室内機と同一の構成については、同一番号を付し、その説明を省略する。
【００５０】
［室内熱交換器］
本実施形態の室内機１０１ａの室内熱交換器１２０は、室内ファン２１の前面側に設けられる前面側熱交換器１５０ａと、室内ファン２１の背面側に設けられる背面側熱交換器１５０ｂとを有しており、各々の上端部同士が接続されて構成されている。そして、本実施形態では、側面視において、前面側熱交換器１５０ａの複数のフィン１５１ａの風下側端部１５３は、室内ファン２１を内側にして湾曲しており、その中間部（所定位置）Ｃで室内ファン２１と最も近接している。そして、複数のフィン１５１ａの風下側端部１５３の中間部Ｃより上側部分Ａ２（曲率半径：Ｒ１０１）は、中間部Ｃから離れるにつれて室内ファン２１との間隔Ｌが大きくなるように略円弧状に湾曲している。また、複数のフィン１５１ａの風下側端部１５３の中間部Ｃより下側部分Ｂ２は、中間部Ｃから離れるにつれて室内ファン２１との間隔Ｌが大きくなるように略直線状に延在している。
【００５１】
［本実施形態の空気調和機の特徴］
本実施形態の室内機１０１ａには、以下のような特徴がある。
【００５２】
本実施形態の室内機１０１ａでは、複数のフィン１５１ａの風下側端部１５３の中間部Ｃより下側部分Ｂ２を略直線状に形成することによって、当該下側部分Ｂ２と室内ファン２１との距離を接近させることができる。これにより、室内熱交換器１２０の上方（上部吸込口２２ａ及び上部前面吸込口２２ｂ）から室内空気を吸い込む場合でも、当該下側部分Ｂ２における風速が上がるので、その下側部分Ｂ２に風が回り易くなる。
【００５３】
（第３実施形態）
上記した第１実施形態では、中間部Ｃより上側部分Ａ１を１つの曲率半径で構成したが、この第３実施形態の室内機２０１ａでは、中間部Ｃより上側部分Ａ３を互いに異なる曲率半径を有する複数の円弧部を接続して形成している。以下、図７を参照して、第３実施形態に係る室内熱交換器を詳細に説明する。なお、第１実施形態の室内機と同一の構成については、同一番号を付し、その説明を省略する。
【００５４】
［室内熱交換器］
本実施形態の室内機２０１ａの室内熱交換器２２０は、室内ファン２１の前面側に設けられる前面側熱交換器２５０ａと、室内ファン２１の背面側に設けられる背面側熱交換器２５０ｂとを有しており、各々の上端部同士が接続されて構成されている。そして、本実施形態では、側面視において、前面側熱交換器２５０ａの複数のフィン２５１ａの風下側端部２５３は、室内ファン２１を内側にして湾曲しており、その中間部（所定位置）Ｃで室内ファン２１と最も近接している。そして、複数のフィン２５１ａの風下側端部２５３の中間部Ｃより上側部分Ａ３は、中間部Ｃから離れるにつれて室内ファン２１との間隔Ｌが大きくなるように略円弧状に湾曲している。また、複数のフィン２５１ａの風下側端部２５３の中間部Ｃより下側部分Ｂ３は、中間部Ｃから離れるにつれて室内ファン２１との間隔Ｌが大きくなるように略直線状に延在している。そして、本実施形態では、上側部分Ａ３は、互いに異なる曲率半径Ｒ２０１，Ｒ２０２を有するように２つの円弧部Ａ３１及びＡ３２が接続されて形成されている。また、複数の円弧部Ａ３１，Ａ３２の各々の曲率半径Ｒ２０１，Ｒ２０２は、中間部Ｃに遠い方の円弧部Ａ３１の曲率半径Ｒ２０１が中間部Ｃに近い方の円弧部Ａ３２の曲率半径Ｒ２０２より小さくなっている。
【００５５】
［本実施形態の空気調和機の特徴］
本実施形態の室内機２０１ａには、以下のような特徴がある。
【００５６】
本実施形態の室内機２０１ａでは、吸込口（上部吸込口２２ａ、上部前面吸込口２２ｂ）における室内空気の吸込量や製品サイズなど種々の条件に応じて、円弧部Ａ３１，Ａ３２の曲率半径Ｒ２０１，Ｒ２０２を適宜組み合わせることによって、熱交換器２２０における風速分布を均一化して良好な風周りを実現することができる。
【００５７】
また、本実施形態の室内機２０１ａでは、２つ円弧部Ａ３１，Ａ３２の各々の曲率半径Ｒ２０１，Ｒ２０２を中間部Ｃから離れるにつれて小さくすることによって、製品のコンパクト化を図りつつ、上側部分Ａ３と室内ファン２１とが接近し過ぎないように配置することができる。
【００５８】
（第４実施形態）
上記した第１〜第３実施形態では、複数のフィンの風下側端部の中間部Ｃで室内ファン２１と最も近接している例について説明したが、この第４実施形態の室内機３０１ａでは、複数のフィンの風上側端部の最下部が室内ファン２１と最も近接している。以下、図８を参照して、第４実施形態に係る室内熱交換器を詳細に説明する。なお、第１実施形態の室内機と同一の構成については、同一番号を付し、その説明を省略する。
【００５９】
［室内熱交換器］
本実施形態の室内機３０１ａの室内熱交換器３２０は、室内ファン２１の前面側に設けられる前面側熱交換器３５０ａと、室内ファン２１の背面側に設けられる背面側熱交換器３５０ｂとを有しており、各々の上端部同士が接続されて構成されている。そして、本実施形態では、側面視において、前面側熱交換器３５０ａの複数のフィン３５１ａの風下側端部３５３は、室内ファン２１を内側にして湾曲しており、その最下部（所定位置）Ｄで室内ファン２１と最も近接している。そして、複数のフィン３５１ａの風下側端部３５３は、最下部Ｄから離れるにつれて室内ファン２１との間隔Ｌが大きくなるように略円弧状に湾曲している。
【００６０】
上記した第１〜第４実施形態では、複数のフィンの風下側端部と室内ファンとが最も近接する位置（中間部Ｃや最下部Ｄ）を境にその上側部分及びその下側部分の形状が異なる例について説明したが、以下に説明する第５及び第６実施形態では、複数のフィンの風下側端部と室内ファンとが最も近接する位置ではない所定位置で、上側部分及び下側部分の形状が異なっている。
【００６１】
（第５実施形態）
以下、図９を参照して、本発明の第５実施形態に係る室内熱交換器を詳細に説明する。なお、第１実施形態の室内機と同一の構成については、同一番号を付し、その説明を省略する。
【００６２】
［室内熱交換器］
この第５実施形態に係る室内機５０１ａの室内熱交換器５２０は、室内ファン２１の前面側に設けられる前面側熱交換器５５０ａと、室内ファン２１の背面側に設けられる背面側熱交換器５５０ｂとを有しており、各々の上端部同士が接続されて構成されている。そして、側面視において、前面側熱交換器５５０ａの複数のフィン５５１ａの風下側端部５５３は、室内ファン２１を内側にして湾曲している。この前面側熱交換器５５０ａは、上部吸込口２２ａ側に配置される上側熱交換部Ｐ１と、その上側熱交換部Ｐ１の下方に配置される下側熱交換部Ｐ２とから構成されている。上記した風下側端部５５３の上側熱交換部Ｐ１に対応する部分Ａ５（曲率半径：Ｒ５０１）と、風下側端部５５３の下側熱交換部Ｐ２に対応する部分Ｂ５（曲率半径：Ｒ５０２）とは、異なる曲率半径を有している。具体的には、風下側端部５５３の上側熱交換部Ｐ１に対応する部分Ａ５の曲率半径Ｒ５０１は、風下側端部５５３の下側熱交換部Ｐ２に対応する部分Ｂ５の曲率半径Ｒ５０２より小さくなっている。この第５実施形態では、本発明の「所定位置」が上側熱交換部Ｐ１と下側熱交換部Ｐ２との間の位置に配置される。
【００６３】
（第６実施形態）
以下、図１０を参照して、本発明の第６実施形態に係る室内熱交換器を詳細に説明する。なお、第１実施形態の室内機と同一の構成については、同一番号を付し、その説明を省略する。
【００６４】
［室内熱交換器］
この第６実施形態に係る室内機６０１ａの室内熱交換器６２０は、室内ファン２１の前面側に設けられる前面側熱交換器６５０ａと、室内ファン２１の背面側に設けられる背面側熱交換器６５０ｂとを有しており、各々の上端部同士が接続されて構成されている。そして、側面視において、前面側熱交換器６５０ａの複数のフィン６５１ａの風下側端部６５３は、室内ファン２１を内側にして湾曲している。この前面側熱交換器６５０ａは、上部吸込口２２ａ側に配置される上側熱交換部Ｐ３と、その上側熱交換部Ｐ３の下方に配置される下側熱交換部Ｐ４とを備えている。上記した風下側端部６５３の上側熱交換部Ｐ３に対応する部分Ａ６（曲率半径：Ｒ６０１）は、略円弧状に湾曲している。一方、風下側端部６５３の下側熱交換部Ｐ４に対応する部分Ｂ６は、略直線状に延在している。この第６実施形態では、本発明の「所定位置」が上側熱交換部Ｐ３と下側熱交換部Ｐ４との間の位置に配置される。
【００６５】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【産業上の利用可能性】
【００６６】
本発明を利用すれば、熱交換器における風速分布を均一化して良好な風周りを実現することが可能な空気調和機（室内機）を得ることができる。
【符号の説明】
【００６７】
１  空気調和機
１ａ，１０１ａ，２０１ａ，３０１ａ  室内機
２１  室内ファン（送風機）
２２  筐体
２２ａ  上部吸込口
２２ｂ  上部前面吸込口
２２ｃ  吹出口
５０ａ，１５０ａ，２５０ａ，３５０ａ  前面側熱交換器（熱交換器）
５１ａ，１５１ａ，２５１ａ，３５１ａ  フィン
５３，１５３，２５３，３５３  風下側端部
Ａ１，Ａ２，Ａ３  上側部分
Ｂ１，Ｂ２，Ｂ３  下側部分
Ｃ  中間部（所定位置）
Ｄ  最下部（所定位置）
Ａ３１，Ａ３２  円弧部
【図１】
2010216673.tif 000003
【図２】
2010216673.tif 000004
【図３】
2010216673.tif 000005
【図４】
2010216673.tif 000006
【図５】
2010216673.tif 000007
【図６】
2010216673.tif 000008
【図７】
2010216673.tif 000009
【図８】
2010216673.tif 000010
【図９】
2010216673.tif 000011
【図１０】
2010216673.tif 000012
【図１１】
2010216673.tif 000013